(57)【特許請求の範囲】
【請求項１】
太陽電池パネルの支持台となるリップ溝形鋼と、該リップ溝形鋼の開口部に装着され太陽電池パネルを支持固定するクランプ金具とを備え、太陽電池パネル傾斜面の下端縁の下方に装着される太陽電池パネル用防水パッドであって、リップ溝形鋼の開口部に係合する係合部と、該係合部の上部に設けられた板状のパッド体とを備え、該パッド体をリップ溝形鋼と太陽電池パネルの下端縁との間に装着し、太陽電池パネルの下端縁近傍から局所的に排出される雨水をパッド体の上面で分散するように構成したことを特徴とする太陽電池パネル用防水パッド。
【請求項２】
前記係合部は、前記パッド体の下面から突設され前記パッド体の回転によりリップ溝形鋼のリップ部内側に係合する係合片と、該係合片がリップ部に係合したときに前記リップ溝形鋼の外側面に係止する係止突起とで構成された請求項１記載の太陽電池パネル用防水パッド。
【請求項３】
前記パッド体は、前記係合部が前記リップ溝形鋼の開口部に係合したときに前記リップ溝形鋼Ｒの長手方向に沿って隆起する稜線部が前記パッド体の上面に形成され、局所的に排出される雨水を分散するように構成した請求項１又は２記載の太陽電池パネル用防水パッド。
【請求項４】
前記パッド体の下面にケーブル支持体が突設され、前記係合部が前記リップ溝形鋼の開口部に係合したときに該ケーブル支持体が前記リップ溝形鋼の外側面に沿ってケーブルを支持するように構成した請求項１乃至３いずれか記載の太陽電池パネル用防水パッド。
【請求項５】
前記パッド体は平面矩形状に形成されると共に、前記パッド体の対向する端部に連結部が設けられ、該パッド体の下面にケーブル支持体が突設され、連結部にて隣接する他のパッド体と連結したときに、各パッド体のケーブル支持体相互間に、太陽電池パネル配線用の接続コネクタを配置するように構成した請求項１乃至４いずれか記載の太陽電池パネル用防水パッド。
【発明の詳細な説明】
【技術分野】
【０００１】
本発明は、太陽電池パネルの傾斜面最下端部から局所的に排水される雨水による不具合を防止することができる太陽電池パネル用防水パッドに関するものである。
【背景技術】
【０００２】
太陽電池パネルの施工に伴う防水構造として、例えば特許文献１に記載の防水構造や、特許文献２に記載の固定金具が提案されている。これら従来の防水構造は、いずれも屋根の傾斜面に沿って太陽電池パネルの間に装着されるものであった。
【０００３】
すなわち、特許文献１の防水構造は、太陽電池パネルの対向縁部間にシール手段が設けられた屋根パネルの防水構造である。このシール手段は、太陽電池パネルと家屋構造物との間をパネル接合体でシールするもので屋根の傾斜面に沿って延設される。
【０００４】
特許文献２に記載の固定金具は、折板屋根の流れ方向に沿って設置固定されるもので、太陽電池パネルの縦枠部材の長手方向に隣接する面状物品同士の間に配置され、これら面状物品相互の両縁部を固定する固定金具の防錆を図るものである。
【先行技術文献】
【特許文献】
【０００５】
【特許文献１】特許第３５５４６６０号公報
【特許文献２】特開２０１３-１７７７６８号公報
【発明の概要】
【発明が解決しようとする課題】
【０００６】
これら特許文献１や特許文献２に記載の防水構造は、いずれも屋根の傾斜面に沿って設置されるもので、特に、この傾斜面に沿って太陽電池パネルを支持する支持部材や屋根の防水を目的としている。
【０００７】
ところが、太陽電池パネルにおいて雨水が一番多く流れるのは、傾斜面に沿った側面からではなく、太陽電池パネルの傾斜した面の最下端部になる。しかも、多くの太陽電池パネルの下端縁には、パネル固定用の突起や下端縁に流れる雨水を排水する排水口等が設けられている。
【０００８】
例えば、図９に示す突起１００は、太陽電池パネルＰの下端縁Ｐ１に沿って突出した断面Ｌ字形状を成し、この突起１００の長手両端部から雨水が排水されるものである。また、図１０に示すように、幅広の断面Ｌ字形状を成した突起１００の長手両端部にアース線連結用の孔１１０を設けた突起１００もある。
【０００９】
更に、図１１に示す如く、太陽電池パネルＰの下端縁Ｐ１の両端部に切り欠きを設けて排水口２００とし、この排水口２００から雨水が流れるように設けた構造もある。このように、太陽電池パネルは、傾斜した面の最下端部に流れる雨水が一定の方向から排水されることが多い。
【００１０】
しかしながら、これらの突起１００や排水口２００などで排水方向が一定になると、太陽電池パネルの下端縁両端から大量の雨水が局所的に排水されることになる。そのため、これまで太陽電池パネルＰの下端縁Ｐ１から排水される雨水は、支持材や屋根材等のごく一部に集中して連続的に当っていた。
【００１１】
更に、これら局所的に排水される雨水には、太陽電池パネルの表面に付着した黄砂等の砂や塵芥、あるいは鳥糞や飛来塩分、鉄粉等の様々な不純物が混入しているので、これらの不純物を含んだ雨水が集中して当る支持材や屋根材等は、局所的な不具合が発生する確率が極めて高い。特に、リップ溝形鋼を使用した支持材の内部に排水が集中すると腐食の進行が早まり、支持材や支持材に固定しているボルト部材等の強度に問題が生じる虞があった。
【００１２】
しかも、太陽電池パネルの傾斜面最下端部に沿ってケーブルやコネクタ等を配線する工事もある。そのため、これらのケーブルやコネクタ等に雨水が局所的に当る可能性もあり、これらのケーブルやコネクタ等を保護する必要もある。
【００１３】
そこで本発明は、上述の課題を解消すべく創出されもので、太陽電池パネルの傾斜面最下端部から局所的に排水される雨水による不具合を簡単な作業で防止することができる太陽電池パネル用防水パッドの提供を目的とするものである。
【課題を解決するための手段】
【００１４】
上述の目的を達成すべく本発明における第１の手段は、太陽電池パネルＰの支持台となるリップ溝形鋼Ｒと、該リップ溝形鋼Ｒの開口部に装着され太陽電池パネルＰを支持固定するクランプ金具Ｓとを備え、太陽電池パネルＰ傾斜面の下端縁Ｐ１の下方に装着される太陽電池パネル用防水パッドであって、リップ溝形鋼Ｒの開口部に係合する係合部１と、該係合部１の上部に設けられた板状のパッド体２とを備え、該パッド体２をリップ溝形鋼Ｒと太陽電池パネルＰの下端縁Ｐ１との間に装着し、太陽電池パネルＰの下端縁Ｐ１近傍から局所的に排出される雨水をパッド体２の上面で分散するように構成したことにある。
【００１５】
第２の手段において、前記係合部１は、前記パッド体２の下面から突設され前記パッド体２の回転によりリップ溝形鋼Ｒのリップ部Ｒ１内側に係合する係合片１Ａと、該係合片１Ａがリップ部Ｒ１に係合したときに前記リップ溝形鋼Ｒの外側面に係止する係止突起１Ｂとで構成されている。
【００１６】
第３の手段において、前記パッド体２は、前記係合部１が前記リップ溝形鋼Ｒの開口部に係合したときに前記リップ溝形鋼Ｒの長手方向に沿って隆起する稜線部２Ａが前記パッド体２の上面に形成され、局所的に排出される雨水を分散するように構成している。
【００１７】
第４の手段は、前記パッド体２の下面にケーブル支持体３が突設され、前記係合部１が前記リップ溝形鋼Ｒの開口部に係合したときに該ケーブル支持体３が前記リップ溝形鋼Ｒの外側面に沿ってケーブル１０を支持するように構成した。
【００１８】
第５の手段は、前記パッド体２は平面矩形状に形成されると共に、前記パッド体２の対向する端部に連結部２Ｂが設けられ、該パッド体２の下面にケーブル支持体３が突設され、連結部２Ｂにて隣接する他のパッド体２と連結したときに、各パッド体２のケーブル支持体３相互間に、太陽電池パネルＰ配線用の接続コネクタ２０を配置するように構成したことにある。
【発明の効果】
【００１９】
請求項１のように、リップ溝形鋼Ｒの開口部に係合する係合部１と、該係合部１の上部に設けられた板状のパッド体２とを備え、該パッド体２をリップ溝形鋼Ｒと太陽電池パネルＰの下端縁Ｐ１との間に装着し、太陽電池パネルＰの下端縁Ｐ１近傍から局所的に排出される雨水をパッド体２の上面で分散するように構成したことにより、局所的に排水される大量の雨水によって発生する各種の不具合を簡単な作業で防止することができる。
【００２０】
請求項２のごとく、パッド体２の回転によりリップ溝形鋼Ｒのリップ部Ｒ１に係合する係合片１Ａと、該係合片１Ａがリップ部Ｒ１に係合したときにリップ溝形鋼Ｒの外側面に係止する係止突起１Ｂとで係合部１を構成したことにより、本発明パッドを簡単且つ確実にリップ溝形鋼Ｒに固定することができる。この結果、太陽電池パネルＰの下端縁Ｐ１近傍から局所的に排出される大量の雨水の水圧に耐えることができ、屋外の使用環境でも長期間の使用が可能である。
【００２１】
請求項３のように、パッド体２の稜線部２Ａにて局所的に排出される雨水を分散するように構成したことで、局所的に排水される雨水を均一に広く分散することができる。この結果、雨水の排水が集中することにより発生する局所的な不具合を防止する。しかも、パッド体２に受けた雨水をリップ溝形鋼Ｒの両側面方向に振り分けるので、リップ溝形鋼Ｒの開口内部へ流入する雨水の量を極力少なくすることができる。
【００２２】
請求項４のごとく、パッド体２の下面にケーブル支持体３を突設し、該ケーブル支持体３が前記リップ溝形鋼Ｒの外側面に沿ってケーブル１０を支持するように構成したことで、太陽電池パネルＰの下端縁Ｐ１に沿ってケーブル１０を配線する場合でも、局所的に排水される雨水からケーブル１０を保護することができる。
【００２３】
しかも、ケーブル支持体３がリップ溝形鋼Ｒの外側面に沿ってケーブル１０を支持するように構成することで、使用時に、このケーブル支持体３がパッド体２の位置を固定する効果も奏する。
【００２４】
請求項５のように、パッド体２を平面矩形状に形成すると共に、パッド体２の対向する端部に連結部２Ｂが設けられ、該連結部２Ｂにて隣接する他のパッド体２と連結したときに、各パッド体２のケーブル支持体３相互間に接続コネクタ２０を配置できる間隔に構成したことで、太陽電池パネルＰの下端縁Ｐ１に沿って接続コネクタ２０を配置する場合でも、局所的に排水される雨水から接続コネクタ２０を保護することができるものである。
【００２５】
また、連結部２Ｂによって複数のパッド体２を連結できるように構成したことで、例えば突起１００等が設けられていない太陽電池パネルＰの下端縁Ｐ１の如く、局所的な排出位置が明確でない状況でも下端縁Ｐ１に沿って広範囲に設置することで対応が可能になる。
【図面の簡単な説明】
【００２６】
【図１】本発明の使用状態を示す概略斜視図である。
【図２】本発明の一実施例の装着状態を示す斜視図である。
【図３】本発明の一実施例を示す平面図である。
【図４】本発明の一実施例を示す底面図である。
【図５】本発明の一実施例を示す正面図である。
【図６】本発明の係合部の取付け操作を示す底面図である。
【図７】本発明のケーブル支持体を示す使用斜視図である。
【図８】本発明のケーブル支持体を示す使用側面図である。
【図９】太陽電池パネルの樋構造に対応する使用例を示す正面図である。
【図１０】太陽電池パネルの他の樋構造に対応する使用例を示す正面図である。
【図１１】太陽電池パネルの排水口に対応する使用例を示す正面図である。
【発明を実施するための形態】
【００２７】
本発明によると、太陽電池パネルの傾斜面最下端部から局所的に排水される雨水による不具合を防止することができるなどといった当初の目的を達成した。
【００２８】
以下、本発明の実施例を説明する。本発明パッドは、耐候性を有する合成樹脂材やゴム材等で形成されるもので、リップ溝形鋼Ｒの開口部に係合する係合部１と、該係合部１の上部に設けられた板状のパッド体２とを備えている（図４、図５参照）。
【００２９】
そして、傾斜した太陽電池パネルＰの傾斜面最下端部に位置する下端縁Ｐ１に沿って設置する（図１参照）。例えば、折板屋根等の屋根Ｑ上に支持台となるリップ溝形鋼Ｒが水平に設置され、このリップ溝形鋼Ｒの開口部に装着したクランプ金具Ｓで太陽電池パネルＰの下端縁Ｐ１を支持固定する状況で使用する（図２参照）。すなわち、係合部１をリップ溝形鋼Ｒの開口部に装着し、傾斜した太陽電池パネルＰの下端縁Ｐ１の下方にパッド体２を設置するものである。
【００３０】
太陽電池パネルＰの下端縁Ｐ１に突起１００や排水口２００が設けられている場合、これら樋構造１００や排水口２００の長手両端部の下方にパッド体２を配置して係合部１をリップ溝形鋼Ｒの開口部に固定する（図９乃至図１１参照）。そして、太陽電池パネルＰの下端縁Ｐ１の両端部近傍から排出される雨水をパッド体２の上面で分散するように構成している。また、太陽電池パネルＰに突起１００等が設置されていない場合は、雨水が大量に流れる位置に合わせてパッド体２をスライド移動することも可能である（図示せず）。
【００３１】
係合部１は、係合片１Ａと係止突起１Ｂとで構成している（図４参照）。係合片１Ａは、パッド体２の下面中央から突設された平面略楕円形状の部材で、リップ溝形鋼Ｒの開口部内に挿入した後、パッド体２を回転することでリップ溝形鋼Ｒのリップ部Ｒ１内側に係合するように設けられている（図６参照）。一方、係止突起１Ｂは、パッド体２の下面に突設された三角板状を成し（図５参照）、係合片１Ａがリップ部Ｒ１に係合したときに、該係止突起１Ｂがリップ溝形鋼Ｒの外側面に係止するように設けたものである（図６参照）。図示の係止突起１Ｂは、矩形状のパッド体２に対し、係合片１Ａを中心として対角線状に一対形成している（図４参照）。また、係合片１Ａは、リップ部Ｒ１の形状が変更されても係合できるように設けている（図９、図１０参照）。
【００３２】
パッド体２は板状の部材で、図示例では平面矩形状を成している（図３参照）。このパッド体２の形状は円板状や他の形状に形成することも可能である。更に、パッド体２の上面に稜線部２Ａが形成されている（図５参照）。この稜線部２Ａは、係合部１の係合片１Ａがリップ溝形鋼Ｒの開口部に係合したときに、リップ溝形鋼Ｒの長手方向に沿って隆起するように形成している（図７参照）。この稜線部２Ａにより、局所的に排出される雨水をリップ溝形鋼Ｒの側面方向に向けて略均一に分散する。
【００３３】
更に、パッド体２の下面にはケーブル支持体３が突設されている（図４参照）。このケーブル支持体３は、リップ溝形鋼Ｒの外側面に沿ってケーブル１０を支持するフック状の部材である（図７参照）。図示例では、係合部１の係合片１Ａがリップ溝形鋼Ｒの開口部に係合したときに該ケーブル支持体３がリップ溝形鋼Ｒの外側面に沿うように設けている（図６参照）。このケーブル支持体３は、矩形状のパッド体２に対し、係合片１Ａを中心として対角線状に一対形成し、係合片１Ａとケーブル支持体３とが略対向するように突設している（図４参照）。
【００３４】
また、矩形状を成したパッド体２において、リップ溝形鋼Ｒの長手方向に沿った両端部に連結部２Ｂを設けている（図７参照）。図示の連結部２Ｂは、下片２Ｂａと上片２Ｂｂとで構成している（図４参照）。そして、隣接する下片２Ｂａと上片２Ｂｂとを重合することでパッド体２相互を連結する（図８参照）。
【００３５】
更に、連結部２Ｂによって２個のパッド体２を連結したときに、各パッド体２のケーブル支持体３相互間に、太陽電池パネルＰ配線用の接続コネクタ２０を配置できるように構成している（図８参照）。このようにケーブル支持体３相互の間隔を接続コネクタ２０の長さに合わせておくことで、接続コネクタ２０の設置及び防水作業を合理化することができる。
【００３６】
尚、本発明の各構成は、図示例に限定されるものではなく、本発明の形状や材質等の変更など、本発明の要旨を変更しない範囲での設計変更は自由である。
【符号の説明】
【００３７】
Ｐ  太陽電池パネル
Ｐ１  下端縁
Ｑ  屋根
Ｒ  リップ溝形鋼
Ｒ１  リップ部
Ｓ  クランプ金具
１  係合部
１Ａ  係合片
１Ｂ  係止突起
２  パッド体
２Ａ  稜線部
２Ｂ  連結部
２Ｂａ  下片
２Ｂｂ  上片
３  ケーブル支持体
１０  ケーブル
２０  接続コネクタ
１００  突起
１１０  孔
２００  排水口
【要約】
【課題】太陽電池パネルの傾斜面最下端部から排水される雨水によって発生する局所的な不具合を防止することができる太陽電池パネル用防水パッドを提供する。
【解決手段】リップ溝形鋼Ｒの開口部に係合する係合部１を設ける。パッド体２の下面から突設されリップ部Ｒ１内側に係合する係合片１Ａを係合部１に設ける。リップ溝形鋼Ｒの外側面に係止する係止突起１Ｂを係合部１に設ける。パッド体２の上面に稜線部２Ａを設ける。該稜線部２Ａにて太陽電池パネルＰの下端縁Ｐ１の両端部から排出される雨水を分散するように構成する。
【選択図】  図２【図１】
0005763252.tif 000002
【図２】
0005763252.tif 000003
【図３】
0005763252.tif 000004
【図４】
0005763252.tif 000005
【図５】
0005763252.tif 000006
【図６】
0005763252.tif 000007
【図７】
0005763252.tif 000008
【図８】
0005763252.tif 000009
【図９】
0005763252.tif 000010
【図１０】
0005763252.tif 000011
【図１１】
0005763252.tif 000012